【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
交流電源を受けて駆動電圧を生成し、照明駆動信号を出力する有線制御部と、
無線で照明制御信号を受信して前記有線制御部に前記照明制御信号を出力する無線制御部と、
前記有線制御部に前記交流電源を供給し、前記有線制御部から前記駆動電圧に応じた待機基準電圧を受信して格納し、前記無線制御部に前記格納した待機基準電圧を待機電力として供給する待機電力供給部と、
を含むことを特徴とする電源供給装置。
【請求項２】
前記待機電力供給部は、前記待機基準電圧を充電し、前記充電した待機基準電圧を前記無線制御部に供給するキャパシタを含むことを特徴とする請求項１に記載の電源供給装置。
【請求項３】
前記待機電力供給部は、前記無線制御部から提供されるスイッチング信号によってスイッチングされて前記待機基準電圧を供給するスイッチング部をさらに含むことを特徴とする請求項２に記載の電源供給装置。
【請求項４】
前記キャパシタは、３．６乃至５．５Ｖを充電するキャパシタであることを特徴とする請求項３に記載の電源供給装置。
【請求項５】
前記無線制御部は、
無線ネットワークを介して外部から前記照明制御信号を受信して処理する無線通信部と、
前記キャパシタから前記待機基準電圧の供給を受けて前記無線通信部の待機電力レベルに切り換える電源発生部と、
前記キャパシタの電圧レベルを感知して前記スイッチング部に前記スイッチング信号を出力する電力制御部と、
を含むことを特徴とする請求項４に記載の電源供給装置。
【請求項６】
前記スイッチング部は、
前記交流電源を前記有線制御部に供給する第１スイッチと、
前記待機基準電圧を前記キャパシタに供給する第２スイッチと、
を含むことを特徴とする請求項５に記載の電源供給装置。
【請求項７】
前記第１スイッチ及び第２スイッチは、
照明装置がオフ状態であり、前記キャパシタが完全充電状態であり、前記キャパシタの電圧レベルが第１基準電圧より高い場合にターンオフされ、
前記照明装置がオン状態であり、前記キャパシタが放電状態である場合にターンオンされ、
前記照明装置がターンオフ状態であり、前記キャパシタが充電状態ではなく、前記キャパシタの電圧レベルが第２基準電圧より低い場合にターンオンされることを特徴とする請求項６に記載の電源供給装置。
【請求項８】
前記無線通信部は、前記照明制御信号を受信するためのスリープモードで前記待機電力を使用することを特徴とする請求項７に記載の電源供給装置。
【請求項９】
複数の発光ダイオードを含む照明部と、
交流電源を受けて、有線または無線で前記照明部に対する照明制御信号を受信して前記照明部に照明駆動信号を出力する照明制御部と、を含み、
前記照明制御部は、前記交流電源から待機基準電圧を生成して格納してから無線で前記照明制御信号を受信するための待機電力として供給するキャパシタと、
を含み、
前記照明制御部は、
前記交流電源を受けて駆動電圧を生成し、前記照明駆動信号を出力する有線制御部と、
無線で照明制御信号を受信して前記有線制御部に前記照明制御信号を出力する無線制御部と、
前記有線制御部に前記交流電源を供給し、前記有線制御部から前記駆動電圧に応じた待機基準電圧を受信して格納し、前記無線制御部に前記格納した待機基準電圧を待機電力として供給する待機電力供給部と、を含むことを特徴とする照明装置。
【請求項１０】
前記キャパシタは前記待機電力供給部内に含まれることを特徴とする請求項９に記載の照明装置。
【請求項１１】
待機電力供給部は、前記無線制御部からのスイッチング信号によって前記待機基準電圧を供給するスイッチング部をさらに含むことを特徴とする請求項１０に記載の照明装置。
【請求項１２】
前記キャパシタは、３．６乃至５．５Ｖを充電する大容量キャパシタであることを特徴とする請求項１１に記載の照明装置。
【請求項１３】
前記無線制御部は、
無線ネットワークを介して外部から前記照明制御信号を受信して処理する無線通信部と、
前記キャパシタから電圧の供給を受けて前記無線通信部の駆動電圧レベルに切り換える電源発生部と、
前記キャパシタの電圧レベルを感知して前記スイッチング部に前記スイッチング信号を出力する電力制御部と、
を含むことを特徴とする請求項１２に記載の照明装置。
【請求項１４】
前記スイッチング部は、
前記交流電源を前記有線制御部に供給する第１スイッチと、
前記待機基準電圧を前記キャパシタに供給する第２スイッチと、
を含むことを特徴とする請求項１３に記載の照明装置。
【請求項１５】
前記第１スイッチ及び第２スイッチは、
前記照明部がオフ状態であり、前記キャパシタが完全充電状態であり、前記キャパシタの電圧レベルが第１基準電圧より高い場合にターンオフされ、
前記照明部がオン状態であり、前記キャパシタが放電状態である場合にターンオンされ、
前記照明部がターンオフ状態であり、前記キャパシタが充電状態ではなく、前記キャパシタの電圧レベルが第２基準電圧より低い場合にターンオンされることを特徴とする請求項１４に記載の照明装置。
【請求項１６】
前記無線通信部は前記照明制御信号を受信するためのスリープモードで待機電力を使用することを特徴とする請求項１５に記載の照明装置。
【請求項１７】
複数の発光ダイオードを含む照明部、そして交流電源を受けて、有線または無線で前記照明部に対する照明制御信号を受信して前記照明部に照明駆動信号を出力し、前記交流電源から待機基準電圧を生成して格納してから無線で前記照明制御信号を受信するための待機電力として供給するキャパシタを有する照明制御部を含む照明装置の駆動方法であって、
周期的に前記キャパシタの電圧レベルをチェックするステップと、
前記キャパシタの電圧レベルが第１基準電圧より低い場合、前記交流電源から前記キャパシタを充電するステップと、
前記キャパシタの電圧レベルが第２基準電圧より高い場合、前記交流電源を遮断して前記キャパシタの電圧を前記待機電力のための電圧に放電するステップと、
を含むことを特徴とする照明装置の駆動方法。
【請求項１８】
前記キャパシタの電圧レベルをチェックするステップは、
前記照明制御部の動作を初期化するステップと、
周期的に前記キャパシタチェックイベントが発生したか否かを判断するステップと、
前記キャパシタの電圧を読み取るステップと、
を含むことを特徴とする請求項１７に記載の照明装置の駆動方法。
【請求項１９】
前記キャパシタを充電するステップは、
前記照明部がオフ状態か否かを確認するステップと、
前記照明部がオン状態の時、前記キャパシタの放電状態を確認するステップと、
前記キャパシタが放電状態の時、前記交流電源から分岐された電圧を前記キャパシタに充電するステップと、
を含むことを特徴とする請求項１８に記載の照明装置の駆動方法。
【請求項２０】
前記キャパシタを充電するステップは、
前記照明部がオフ状態か否かを確認するステップと、
前記照明部がオフ状態の時、前記キャパシタの充電状態を確認するステップと、
前記キャパシタが充電されず、前記キャパシタの電圧が基準電圧以下の時、前記交流電源から分岐された電圧を前記キャパシタに充電するステップと、
を含むことを特徴とする請求項１９に記載の照明装置の駆動方法。
【請求項２１】
前記キャパシタは、３．６乃至５．５Ｖを充電する大容量キャパシタであることを特徴とする請求項２０に記載の照明装置の駆動方法。